(57)【要約】      （修正有）【課題】構造が簡単で、製造が容易で複雑な弁構造を用いること無く、流体圧ダンパー及び弾性ゴムダンパーの持つ欠点を補い、効率良く地震エネルギー吸収を可能とする構造物用制振ダンパーを提供する。【解決手段】地震時に相対変位する一方の構造体に固定されるシリンダー部材と、他方の構造体に固定され、シリンダー部材の開口から内部に伸び、先端にシリンダー部材の内径とほぼ同じ外径を有し、流通路を形成した弁体６を備えたピストンロッド３と、弁体６の後部のピストンロッド３の外周面とシリンダー部材内周面に固定される弾性ゴム体７と、ピストンロッド外周とシリンダー部材内周面に固定され一定以上の負荷により破断する剛性部材１０と、を備え、一定以下の負荷に対しては、剛性部材１０で抵抗し、一定以上の負荷の達すると剛性部材１０が破断し、シリンダー部材の密封空間内の流体移動抵抗及び弾性ゴム体７の弾性変形により地震エネルギーを吸収する。【選択図】図１
2015113846.tif 000002
【特許請求の範囲】
【請求項１】
地震時に相対変位する一方の構造体に固定される一端が閉じ、他端が開口したシリンダー部材と、
他方の構造体に固定され、前記シリンダー部材の開口から内部に伸び、前記シリンダー部材との間で相対変位可能に配置され、先端に前記シリンダー部材の内径とほぼ同じ外径を有し、流通路を形成した弁体を備えたピストンロッドと、
前記弁体の後部のピストンロッドの外周面と前記シリンダー部材内周面に固定される弾性ゴム体と、
前記ピストンロッド外周と前記シリンダー部材内周面に固定され一定以上の負荷により破断する剛性部材と、
を備え、
前記シリンダー部材と前記ピストンロッドの相対変位に対して、一定以下の負荷に対しては、前記剛性部材で抵抗し、一定以上の負荷の達すると前記剛性部材が破断し、シリンダー部材の密封空間内流体の前記弁体に形成された流通路を通しての流体移動抵抗及び前記弾性ゴム体の弾性変形により地震エネルギーを吸収することを特徴とする構造物用制振ダンパー。
【請求項２】
前記弾性ゴム体を高減衰性ゴムとすることを特徴とする請求項１に記載の構造物用制振ダンパー。
【請求項３】
前記剛性部材を樹脂又は金属で形成することを特徴とする請求項１または２に記載の構造物用制振ダンパー。
【請求項４】
前記弾性ゴム体と前記弁体との間に、外周部が前記シリンダー部材内周面に固定されたリング状隔壁部材をその内周部が前記ピストンロッド外周部と摺動可能に配置し、前記リング状隔壁部材と前記シリンダー部材の閉じられた一端間の前記弁体が摺動する空間を密封することを特徴とする請求項１ないし３のいずれか１項に記載の構造物用制振ダンパー。
【請求項５】
前記シリンダー部材の前記弾性ゴム体を固定する部分の内径を他の部分の内径より大きくすることを特徴とする請求項１ないし４のいずれか１項に記載の構造物用制振ダンパー。
【請求項６】
先端が閉じ前記弁体が摺動するシリンダー部材と、前記弾性ゴム体が固定されるシリンダー部材と、前記剛性部材が固定されるシリンダー部材をそれぞれ別体とし、夫々のシリンダー部材の長さや内径が異なるように形成して各シリンダー部材を連結固定することを特徴とする請求項１ないし５のいずれか１項に記載の構造物用制振ダンパー。
【請求項７】
前記シリンダー部材の密封空間に封入される流体を気体とすることを特徴とする請求項１ないし６のいずれか１項に記載の構造物用制振ダンパー。
【請求項８】
前記シリンダー部材の密封空間に封入される流体を液体とすることを特徴とする請求項１ないし６のいずれか１項に記載の構造物用制振ダンパー。
【請求項９】
前記流通路が前記弁体を貫通する小孔であることを特徴とする請求項１ないし８のいずれか１項に記載の構造物用制振ダンパー。
【請求項１０】
前記流通路が前記弁体の外周に形成した切欠きであることを特徴とする請求項１ないし８のいずれか１項に記載の構造物用制振ダンパー。
【請求項１１】
前記ピストンロッドの外周面と前記シリンダー部材内周面に弾性ゴム体を加硫一体成形により固定することを特徴とする請求項１ないし１０のいずれか１項に記載の構造物用制振ダンパー。
【発明の詳細な説明】
【技術分野】
【０００１】
本発明は、建築物や橋梁等の構造物の地震時の振動を抑制する構造物用制振ダンパーに関し、特に地震の際の構造物の大きな変位に対して効率良く地震エネルギーを吸収することが可能な弾性ゴムの変形を利用した構造物用制振ダンパーに関する。
【背景技術】
【０００２】
構造物用制振ダンパーとしてオイルダンパー、エアーダンパーや粘弾性ダンパー、弾性ゴムダンパーが知られている。
【先行技術文献】
【特許文献】
【０００３】
【特許文献１】特許第２５４１０７３号公報
【特許文献２】特許第２５６６８３３号公報
【発明の概要】
【発明が解決しようとする課題】
【０００４】
オイルダンパーやエアーダンパーは、温度依存性がなく、高速時のエネルギー吸収性に優れ、繰り返しの変形に強いという利点を有するが、低速時の性能が低く、密閉性が必要で、液漏れが発生しやすいという問題がある。また、オイルダンパーやエアーダンパーは，シリンダー内部を密閉するために，シリンダー先端の蓋に設けた穴の内周部とロッド外周部の間で，シール材等を用いて密閉しまた滑動可能としている。ダンパーの外部に露出したピストンロッドの外周部には，外気によって錆びが生じやすい。ロッドの外周部表面に錆びによって凸凹が生じた場合には，密閉および滑動の役割を担うシール材が，ロッド外周部の凸凹によって容易に削られて破損する。その結果，ダンパーの密閉性が失われる。この障害を取り除くために，従来のダンパーではロッド外周部の錆を，定期的に除去するメンテナンスが必要となるという問題を有する。
【０００５】
粘弾性ダンパー等の弾性体の変形による振動吸収機能を有する制振ダンパーは、構造が簡単でメンテナンスも容易であるという利点を有する。しかし、地震時に構造物には方向の異なる大きな変位が作用し、構造物の相対変位する２つの構造にそれぞれ一端を固定したシリンダー部材とピストン部材の軸方向の変位にぶれが生じ、その結果、装置の一部に荷重が集中して装置自体を破壊する恐れがある。
【０００６】
弾性ゴムの弾性変形によるダンパーは、ゴムの組成を変えることにより性能を変化することができ、繰り返し変形に強いという利点を有するが、変形性能に限界があり、温度依存性があるという問題を有する。
【０００７】
本発明は、従来技術の持つ問題を解決する、構造が簡単で、製造が容易で弾性ゴムダンパーの持つ欠点を補い、効率良く地震エネルギー吸収を可能とする構造物用制振ダンパーを提供することを目的とする。
【課題を解決するための手段】
【０００８】
本発明の構造物用制振ダンパーは、前記課題を解決するために、地震時に相対変位する一方の構造体に固定される一端が閉じ、他端が開口したシリンダー部材と、他方の構造体に固定され、前記シリンダー部材の開口から内部に伸び、前記シリンダー部材との間で相対変位可能に配置され、先端に前記シリンダー部材の内径とほぼ同じ外径を有し、流通路を形成した弁体を備えたピストンロッドと、前記弁体の後部のピストンロッドの外周面と前記シリンダー部材内周面に固定される弾性ゴム体と、前記ピストンロッド外周と前記シリンダー部材内周面に固定され一定以上の負荷により破断する剛性部材と、を備え、前記シリンダー部材と前記ピストンロッドの相対変位に対して、一定以下の負荷に対しては、前記剛性部材で抵抗し、一定以上の負荷の達すると前記剛性部材が破断し、シリンダー部材の密封空間内流体の前記弁体に形成された流通路を通しての流体移動抵抗及び前記弾性ゴム体の弾性変形により地震エネルギーを吸収することを特徴とする。
【０００９】
また、本発明の構造物用制振ダンパーは、前記弾性ゴム体を高減衰性ゴムとすることを特徴とする。
【００１０】
また、本発明の構造物用制振ダンパーは、前記剛性部材を樹脂又は金属で形成することを特徴とする。
【００１１】
また、本発明の構造物用制振ダンパーは、前記弾性ゴム体と前記弁体との間に、外周部が前記シリンダー部材内周面に固定されたリング状隔壁部材をその内周部が前記ピストンロッド外周部と摺動可能に配置し、前記リング状隔壁部材と前記シリンダー部材の閉じられた一端間の前記弁体が摺動する空間を密封することを特徴とする。
【００１２】
また、本発明の構造物用制振ダンパーは、前記シリンダー部材の前記弾性ゴム体を固定する部分の内径を他の部分の内径より大きくすることを特徴とする。
【００１３】
また、本発明の構造物用制振ダンパーは、先端が閉じ前記弁体が摺動するシリンダー部材と、前記弾性ゴム体が固定されるシリンダー部材と、前記剛性部材が固定されるシリンダー部材をそれぞれ別体とし、夫々のシリンダー部材の長さや内径が異なるように形成して各シリンダー部材を連結固定することを特徴とする。
【００１４】
また、本発明の構造物用制振ダンパーは、前記シリンダー部材と前記ピストンロッド間の密封空間に封入される流体を気体とすることを特徴とする。
【００１５】
また、本発明の構造物用制振ダンパーは、前記シリンダー部材と前記ピストンロッド間の密封空間に封入される流体を液体とすることを特徴とする。
【００１６】
また、本発明の構造物用制振ダンパーは、前記流通路が前記弁体を貫通する小孔であることを特徴とする。
【００１７】
また、本発明の構造物用制振ダンパーは、前記流通路が前記弁体の外周に形成した切欠であることを特徴とする。
【００１８】
また、本発明の構造物用制振ダンパーは、前記ピストンロッドの外周面と前記シリンダー部材内壁面に弾性ゴム体を加硫一体成形により固定することを特徴とする。
【発明の効果】
【００１９】
地震時に相対変位する一方の構造体に固定される一端が閉じ、他端が開口したシリンダー部材と、他方の構造体に固定され、前記シリンダー部材の開口から内部に伸び、前記シリンダー部材との間で相対変位可能に配置され、先端に前記シリンダー部材の内径とほぼ同じ外径を有し、流通路を形成した弁体を備えたピストンロッドと、前記弁体の後部のピストンロッドの外周面と前記シリンダー部材内周面に固定される弾性ゴム体と、前記ピストンロッド外周と前記シリンダー部材内周面に固定され一定以上の負荷により破断する剛性部材と、を備え、前記シリンダー部材と前記ピストンロッドの相対変位に対して、一定以下の負荷に対しては、前記剛性部材で抵抗し、一定以上の負荷の達すると前記剛性部材が破断し、シリンダー部材の密封空間内流体の前記弁体に形成された流通路を通しての流体移動抵抗及び前記弾性ゴム体の弾性変形により地震エネルギーを吸収することで、１本のピストンロッドに複数の異なるダンパー機能を配置することができる。そして、異なるダンパー機能の其々が持つ欠点を他のダンパー機能が補填して効率良く地震エネルギーを吸収することが可能となる。
弾性ゴム体を高減衰性ゴムとすることで、地震エネルギーの減衰性能を向上することが可能となる。
剛性部材を樹脂又は金属で形成することで、種類が多く耐力性能の上限を設定するための選択が容易となる。
弾性ゴム体と弁体との間に、外周部が前記シリンダー部材内周面に固定されたリング状隔壁部材をその内周部がピストンロッド外周部と摺動可能に配置し、リング状隔壁部材とシリンダー部材の閉じられた一端間の前記弁体が摺動する空間を密封することで、シリンダー部材内密封空間の体積を弾性ゴム体の変形に拘わらず一定とし地震エネルギーの減衰性を向上することが可能となる。
シリンダー部材の弾性ゴム体を固定する部分の内径を他の部分の内径より大きくすることで、弾性ゴム体の体積を大きくすることで弾性ゴムの変形による地震エネルギーの減衰性を向上することが可能となる。
先端が閉じ弁体が摺動するシリンダー部材と、弾性ゴム体が固定されるシリンダー部材と、剛性部材が固定されるシリンダー部材をそれぞれ別体とし、夫々のシリンダー部材の長さや内径が異なるように形成して各シリンダー部材を連結固定することで、弾性ゴム体を固定するシリンダー部材の内径を大きくして弾性ゴム体の弾性変形量を大きくしたり、設置場所に応じてシリンダー部材の長さを調整することが可能となる。
シリンダー部材の密封空間に封入される流体を気体とすることで、気体は圧縮性流体であるので流通路を通しての流体移動抵抗に加え、気体の圧縮、膨張によるクッション効果により地震エネルギーの吸収に利用することが可能となる。
シリンダー部材の密封空間に封入される流体を液体とすることで、複雑な弁制御をすることなく、流通路の液体移動抵抗を考慮するだけで構造が簡単な液体ダンパーとすることが可能となる。
流通路が弁体を貫通する小孔であることで、構造が簡単な流体移動抵抗手段とすることが可能となる。
流通路が弁体の外周に形成した切欠であることで、構造が簡単な流体移動抵抗手段とすることが可能となる。
ピストンロッドの外周面とシリンダー部材内壁面に弾性ゴム体を加硫一体成形により固定することで、シール材を用いることが無く、鋼材とゴムとの接着部の劣化が防止され、密封状態を長期間維持することが可能となる。
【図面の簡単な説明】
【００２０】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【図６】本発明の実施形態を示す図である。
【図７】本発明の実施形態を示す図である。
【図８】本発明の実施形態を示す図である。
【発明を実施するための形態】
【００２１】
本発明の構造物用制振ダンパーの実施の形態を図により説明する。図１は、構造物用制振ダンパーの一実施形態を示す図である。
【００２２】
構造物用制振ダンパー１は、建築物や橋梁等の構造物の一方の構造体に連結される一端が閉じ他端が開口したシリンダー部材２と、他方の構造体に連結するピストンロッド３を備えている。ピストンロッド３は、シリンダー部材２の開口からその内部に伸び、シリンダー部材２に対して相対変位可能に配置される。
【００２３】
シリンダー部材２は、断面円形の部材で、閉じた側の端部には一方の構造体に連結するためのシリンダー側取付部材４が固定される。
【００２４】
ピストンロッド３の一端部には、他方の構造体に連結するためのピストンロッド側取付部材５が固定される。ピストンロッド３の他端部には、シリンダー部材２の内径とほぼ同じ外径の弁体６が形成される。
【００２５】
ピストンロッド３の弁体６の後部外周部とシリンダー部材２の内壁間に弾性ゴム体７が固定される。一端が閉じられたシリンダー部材２とピストンロッド３の弁体６の後部外周部とシリンダー部材２の内壁間に固定される弾性ゴム体７により、シリンダー部材２の閉じた側と弁体６間の空間Ａと、弁体６と弾性ゴム体７間の空間Ｂは、外部から密封状態にする。弾性ゴム体７がシール材として機能するのでシール材が必要でなくなる。
【００２６】
ピストンロッド３外周部とシリンダー部材２内壁部への弾性ゴム体７の固定は、加硫一体成形により実施する。加硫一体成形による固定は、鋼材とゴムとの接着部の劣化が防止され、密封状態を長期間維持することが可能となる。また，弾性ゴム体７はシリンダー部材２とピストンロッド３が相対変位した場合に弾性変形するために，従来のダンパーにおけるシール材が必要でないために，ピストンロッド３外周部の錆びによってシリンダー部材２の密閉性が失われることがない。
【００２７】
図４、図５に示すように、弁体６には、空間Ａ，Ｂと連通する流通路が形成される。図４に示される実施形態では、流通路は弁体６を貫通する小孔８として形成される。図５に示される実施形態では、流通路は弁体６の外周に切欠９として形成される。
【００２８】
図１に示されるように、弾性ゴム体７の後部に複数のロッド状の剛性部材１０が一端をピストンロッド３に固定手段１１を介して固定され、他端をシリンダー部材２に固定手段１２を介して固定される。剛性部材１０は、樹脂又はアルミ等の金属性で、耐力性能の上限が設定されている。つまり、一定値以下の負荷に対しては剛性部材１０が抵抗するが、一定値以上の負荷に対しては剛性部材１０が破断してそのエネルギーを吸収する機能を有する。図１において剛性部材１０は弾性ゴム体７の後部に配置されているが、図２に弾性ゴム体７の前部に配置しても良い。
【００２９】
図１，２に示される実施形態では、シリンダー部材２を複数に分割したものである。一端が閉じ弁体６が摺動するシリンダー部材２ａと、弾性ゴム体７が配置されるシリンダー部材２ｂと、剛性部材１０を配置したシリンダー部材２ｃを夫々別体として形成し、連結固定する。この実施形態では、弾性ゴム体７を固定するシリンダー部材２ｂの内径を、弁体６が摺動するシリンダー部材２ａの内径より大きくしている。その結果、弾性ゴム体７の弾性変形量を大きくすることができる。また、各シリンダー部材２ａ、２ｂ、２ｃの長さを調節して、設置場所に応じたシリンダー部材の長さに設定することが可能となる。
【００３０】
図１、図２に示される実施形態では、シリンダー部材２内の弾性ゴム体７と弁体６との間に、外周部がシリンダー部材２内周面に固定されたリング状隔壁部材９をその内周部がピストンロッド３外周部に対して摺動可能に配置する。弾性ゴム体７の変形によりシリンダー部材内の密封空間Ａ＋Ｂの体積が若干変化する。シリンダー部材２内の密封空間の体積の変化は、流体ダンパーの地震エネルギーの減衰性に少し影響する。図１．２に示される実施形態では、リング状隔壁部材９を配置することで、シリンダー部材２内の密封空間の体積を一定として流体ダンパーの地震エネルギー減衰性を保持する。リング状隔壁部材９の材質としては硬質ゴム等とする。
【００３１】
図６に示される実施形態は、シリンダー部材２の弾性ゴム体７の配置部分の内径Ｋを他のシリンダー部材２の部分の内径ｋより大きくする。図７に示される実施形態では、弾性ゴム体７を配置するシリンダー部材２の内壁部を削り薄肉部２ｄとしその内径Ｋを、シリンダー部材２の他の部分の内径ｋより大きくしている。また、図３に示される実施形態は、弾性ゴム体７を配置するシリンダー部材２ｂの内径を、弁体６が摺動するシリンダー部材２ａの内径より大きくしている。シリンダー部材２の弾性ゴム体７の配置部分の内径を他の部分の内径より大きくすることにより、配置する弾性ゴム体７の体積を増加させ、弾性ゴム体７の変形による地震エネルギーの減衰性能を向上することが可能となる。
【００３２】
図７は、ピストンロッド３とシリンダー部材２が矢印方向に相対変位した場合を示す図である。剛性部材１０は、耐力性能の上限が設定されおり、一定値以下の負荷に対しては剛性部材１０が抵抗するが、一定値以上の負荷に対しては剛性部材１０が破断してそのエネルギーを吸収する。図８では、一定以上の負荷により剛性部材１０が破断した状態を示す。
【００３３】
シリンダー部材２内に封入される流体として空気等の気体を選択した場合の本発明の作用を説明する。ピストンロッド２の矢印方向への相対変位により弁体６も矢印方向に移動する。その結果、空間Ａ内の気体は圧縮されその体積が減少し圧力が増加する。一方、空間Ｂ内の気体は膨張しその体積が増加し圧力が減少する。その結果、圧力の高い空間Ａ内の気体は、弁体６に形成した流通路８から圧力の低い空間Ｂに流れる。流通路８の形状は、図３、図４に示す小孔８ａでも切欠き８ｂでも良いが、流通路８から気体が流れる際の流体移動抵抗による地震エネルギーの減衰性を考慮し、流通路８の口径、形状、数等を設定する。
【００３４】
シリンダー部材２とピストンロッド３の相対変位に伴い、弾性ゴム体７が図７に示すように弾性変形する。このように、シリンダー部材２とピストンロッド３の相対変位に伴い空間Ａ、空間Ｂ内の気体の圧縮、膨張によるクッション効果、流通路８を通しての気体の移動の際の流体移動抵抗により地震エネルギーが減衰され、さらに、シリンダー部材２内を密封する弾性ゴム体７の弾性変形により地震エネルギーを減衰する。弾性ゴム体７を高減衰性ゴムとすることにより、地震エネルギーの減衰性能を向上することが可能となる。
【００３５】
図７は、ピストンロッド３とシリンダー部材２が矢印方向に相対変位した場合を示す図である。剛性部材１０は、耐力性能の上限が設定されおり、一定値以下の負荷に対しては剛性部材１０が抵抗するが、一定値以上の負荷に対しては剛性部材１０が破断してそのエネルギーを吸収する。図７では、一定以上の負荷により剛性部材１０が破断した状態を示す。
【００３６】
図８によりシリンダー部材２内に封入される流体としてオイル等の液体を選択した場合の本発明の作用を説明する。地震時、構造物に作用する変位により、一方の構造部に連結されたシリンダー部材２と他方の構造部に連結されたピストンロッド３は互いに相対変位する。ピストンロッド２の矢印方向への相対変位により弁体６も矢印方向に移動する。その結果、空間Ｂ内の液体は、弁体６に形成した流通路８から空間Ａに流れる。流通路８の形状は、図３、図４に示す小孔８ａでも切欠き８ｂでも良いが、流通路８から液体が流れる際の流体移動抵抗による地震エネルギーの減衰性を考慮し、流通路８の口径、形状、数等を設定する。液体は気体と相違し非圧縮性流体であるため、液体の流通路８を通しての流体移動抵抗は、気体の場合に比較し精密な設定が必要である。
【００３７】
剛性部材１０は、耐力性能の上限が設定されおり、一定値以下の負荷に対しては剛性部材１０が抵抗するが、一定値以上の負荷に対しては剛性部材１０が破断してそのエネルギーを吸収する。図８では、一定以上の負荷により剛性部材１０が破断した状態を示す。シリンダー部材２とピストンロッド３の相対変位に伴い、弾性ゴム体７が図８のように弾性変形する。このように、シリンダー部材２とピストンロッド３の相対変位に伴い流通路８を通しての液体の移動の際の流体移動抵抗により地震エネルギーが減衰され、さらに、シリンダー部材２内を密封する弾性ゴム体７の弾性変形により地震エネルギーを減衰する。弾性ゴム体７を高減衰性ゴムとすることにより、地震エネルギーの吸収性能を向上することが可能となる。
【００３８】
本発明の構造物用制振ダンパー１は、１本のピストンロッド３に流体圧ダンパー、弾性ゴム体ダンパー及び剛性部材ダンパーと異なるダンパーを直列に配置している。各ダンパーの長所と短所を検討する。
【００３９】
先ず、流体圧ダンパーの長所は、動的強度性能（速度比例）があること、ストロークを大きくできること、温度依存性が少ないこと、高速時のエネルギー吸収性が大きいこと、繰り返し変形に強いこと、エネルギー吸収性能を拡大できること、履歴は丸形で剛性がないので共振しないこと等である。一方、流体圧ダンパーの短所は、低速時又は小変形時の性能が低いこと、密閉性を必要とすること、液漏れが生じやすいこと等である。
【００４０】
次に、弾性ゴム体ダンパーの長所は、密閉機能を有すること、静的強度性能（変位比例）があること、ゴム組成で性能を変えやすいこと、繰り返しの変形に強いこと、履歴は紡錘形であること等である。一方、弾性ゴム体ダンパーの短所は、変形性に限界があること、温度依存性があること、ハードニングがあること、エネルギー吸収性に限界があること、剛性があるため共振を防げないこと等である。
【００４１】
続いて、剛性部材ダンパーの長所は、静的強度性能（変位比例）があること、小変形時の強度（剛性）を得やすいこと、温度依存性がないこと、塑性変形範囲内でのエネルギー吸収性能が大きいこと、履歴は線形又は矩形であること、剛性部材を破断させることにより耐力性能の上限を設定することができること等である。一方、剛性部材ダンパーの短所は、剛性があるため共振を防げないこと等である。
【００４２】
長所及び短所を有する流体圧ダンパー、弾性ゴム体ダンパー及び剛性部材ダンパーをピストンロッド３に沿って直列に配置した本発明の構造物用制振ダンパー１の作用、効果を検討する。小さな変形の繰り返す等の変位に対しては、小変形時の強度（剛性）を得やすい剛性部材１０が抵抗して対応し、低速時又は小変形時の性能が低いという流体圧ダンパーの短所をカバーする。
【００４３】
剛性部材１０は、繰り返しの大変形により破断する。剛性部材１０が破断するまでの繰り返し変形に時間経過により弾性ゴム体ダンパーの温度が上昇し、弾性ゴム体ダンパーの短所である温度依存性によるエネルギー吸収性能の低下が回復する。
【００４４】
剛性部材１０の破断後、弾性ゴム体ダンパー及び流体圧ダンパーの長所を生かし、弾性ゴム体７の弾性変形と、弾性ゴム体７により密封された空間内流体の弁体６に形成された流通路８を通しての流体移動抵抗により地震エネルギーを効率良く減衰することが可能となる。
【符号の説明】
【００４５】
１：構造物用制振ダンパー、２：シリンダー部材、３：ピストンロッド、４：シリンダー側取付部材、５：ピストンロッド側取付部材、６：弁体、７：弾性ゴム体、８：流通路、８ａ：小孔、８ｂ：切欠き、９：リング状隔壁部材，１０：剛性部材、１１：固定部材、１２：固定部材
【図１】
2015113846.tif 000003
【図２】
2015113846.tif 000004
【図３】
2015113846.tif 000005
【図４】
2015113846.tif 000006
【図５】
2015113846.tif 000007
【図６】
2015113846.tif 000008
【図７】
2015113846.tif 000009
【図８】
2015113846.tif 000010